(57)【要約】【課題】小型・薄型化が可能で取れにくく、装着時の審美性に優れた装飾歯を得る。【解決手段】被装飾歯（２〜６）の表面を装飾する飾歯（２２〜２６）と、被装飾歯（２〜６）の根元の歯肉の表面に接着される飾歯肉（３０）と、を備え、飾歯（２２〜２６）の根元側が飾歯肉（３０）と連結していて、飾歯（２２〜２６）の先端側には、歯肉の表面に飾歯肉（３０）の裏面が接着されたときに、被装飾歯（２〜６）の頂部を覆う突起部（２２ａ〜２６ａ）が設けられている。【選択図】図８
2014023827.tif 000002
【特許請求の範囲】
【請求項１】
被装飾歯の表面を装飾する飾歯と、
上記被装飾歯の根元の歯肉の表面に接着される飾歯肉と、
を備え、
上記飾歯の根元側が上記飾歯肉と連結していて、
上記飾歯の先端側には、上記歯肉の表面に上記飾歯肉の裏面が接着されたときに、上記被装飾歯の頂部を覆う突起部が設けられている、
ことを特徴とする装飾歯。
【請求項２】
上記歯肉の表面に上記飾歯肉の裏面が接着されたときに、上記飾歯の裏面の一部は上記被装飾歯の表面に接触しない、
請求項１記載の装飾歯。
【請求項３】
上記飾歯の裏面と上記飾歯肉の裏面との連結部には、上記歯肉の表面に上記飾歯肉の裏面が接着されたときに、上記被装飾歯の歯頸部に係合する係合部が設けられている、
請求項１または２記載の装飾歯。
【請求項４】
上記飾歯の高さ方向の長さは、上記被装飾歯の高さ方向の長さよりも長い、
請求項１乃至３のいずれかに記載の装飾歯。
【請求項５】
上記飾歯の高さ方向の長さは、上記被装飾歯の高さ方向の長さよりも短い、
請求項１乃至３のいずれかに記載の装飾歯。
【請求項６】
上記飾歯の幅方向の長さは、上記被装飾歯の幅方向の長さよりも長い、
請求項１乃至５のいずれかに記載の装飾歯。
【請求項７】
上記飾歯の幅方向の長さは、上記被装飾歯の幅方向の長さよりも短い、
請求項１乃至５のいずれかに記載の装飾歯。
【請求項８】
上記飾歯肉は、上記被装飾歯の根元の歯肉と、上記被装飾歯に隣接する別の歯の根元の歯肉とを覆う、
請求項１乃至７のいずれかに記載の装飾歯。
【請求項９】
上記歯肉の表面に上記飾歯肉の裏面が接着されたときに、上記飾歯肉の一部が上記被装飾歯の表面の一部を覆う、
請求項１乃至８のいずれかに記載の装飾歯。
【請求項１０】
上記飾歯の数は１で、上記被装飾歯の数は複数で、
上記複数の被装飾歯の表面は、上記飾歯で装飾される、
請求項１乃至９のいずれかに記載の装飾歯。
【請求項１１】
上記飾歯の数は複数で、上記被装飾歯の数は１で、
上記被装飾歯の表面は、上記複数の飾歯で装飾される、
請求項１乃至９のいずれかに記載の装飾歯。
【請求項１２】
上記被装飾歯の数は複数で、
上記複数の被装飾歯のそれぞれに対応する複数の飾歯を備え、
上記飾歯肉は、上記複数の被装飾歯の一部または全部の被装飾歯の根元の歯肉の表面を覆う、
請求項１記載の装飾歯。
【請求項１３】
上記飾歯肉は、上記複数の被装飾歯の一部の被装飾歯の根元の歯肉のみの表面を覆い、
上記複数の被装飾歯のそれぞれに対応する複数の飾歯のそれぞれは、他の飾歯のいずれかと連結している、
請求項１２記載の装飾歯。
【請求項１４】
上記複数の被装飾歯のそれぞれに対応する複数の飾歯のそれぞれの高さは異なり、
上記複数の飾歯のそれぞれの先端は、略直線状である、
請求項１２または１３記載の装飾歯。
【請求項１５】
上記複数の被装飾歯のそれぞれに対応する複数の飾歯のそれぞれの厚さは異なり、
上記複数の飾歯のそれぞれの外面は、略曲面状である、
請求項１２乃至１４のいずれかに記載の装飾歯。
【請求項１６】
上記飾歯は、上記被装飾歯の模型の表面に築盛された飾歯用材料を硬化して作製され、
上記飾歯肉は、上記歯肉の模型の表面に築盛された歯肉用材料を硬化して作製され、
上記歯肉用材料の色と上記飾歯用材料の色とは異なる、
請求項１記載の装飾歯。
【請求項１７】
上記飾歯の表面には装飾物が配置され、
上記装飾物が配置された飾歯の表面は、被膜材で被膜されている、
請求項１記載の装飾歯。
【発明の詳細な説明】
【技術分野】
【０００１】
本発明は、天然歯や人口歯の表面を装飾する装飾歯に関するものである。
【背景技術】
【０００２】
従来、歯を装飾する方法としては、歯列の矯正や、歯色のホワイトニングなどが知られている。また、この他に、天然歯や人口歯の表面に装着する装飾部材の提案もされている（例えば、特許文献１，２，３参照）。
【０００３】
特許文献１には、歯列と歯肉の表面形状としてＵ字バンド状に曲成された硬質樹脂の化粧歯であって、硬質樹脂の可撓性により被化粧部位に着脱可能とした化粧歯が開示されている。
【０００４】
特許文献２には、歯の被装着面に着脱自在または接着固定される歯用装飾部材が開示されている。
【０００５】
特許文献３には、歯の表面に接着される歯面カバーであって、石膏模型の歯部の表面にレジンなどを塗布した上で焼結させて作製される歯面カバーが開示されている。
【０００６】
しかし、特許文献１の化粧歯は、Ｕ字バンド状に曲成する必要があるため、例えば、歯１本のみを装飾するにも、口の横方向の長さが必要となり大きくなってしまう。また、同化粧歯は、キャビティに樹脂を注入して作製されるため、薄く作製することができない。したがって、化粧歯を切端方向（咬合面方向）に長く作製してしまうと、化粧歯の厚さで、上の歯と下の歯とがぶつかるため、切端方向に長い化粧歯を作製することができない。
【０００７】
一方、特許文献２の歯用装飾部材や特許文献３の歯面カバーは、装飾される歯に接着するため、装飾される歯に歯列を矯正するためのワイヤが装着されている場合には使用できない。また、同歯用装飾部材などは、装飾される歯にのみ接着されるため、取れやすい。
【先行技術文献】
【特許文献】
【０００８】
【特許文献１】特開２００７−１２５１１３号公報
【特許文献２】特開平１１−１２８２４９号公報
【特許文献３】特開平７−４３０７１号公報
【発明の概要】
【発明が解決しようとする課題】
【０００９】
本発明は、以上のような従来技術の問題点を解消するためになされたもので、小型・薄型化が可能で取れにくく、装着時の審美性に優れた装飾歯を提供することを目的とする。
【課題を解決するための手段】
【００１０】
本発明は、被装飾歯の表面を装飾する飾歯と、被装飾歯の根元の歯肉の表面に接着される飾歯肉と、を備え、飾歯の根元側が飾歯肉と連結していて、飾歯の先端側には、歯肉の表面に飾歯肉の裏面が接着されたときに、被装飾歯の頂部を覆う突起部が設けられていることを特徴とする。
【発明の効果】
【００１１】
本発明によれば、小型・薄型化が可能で取れにくく、装着時の審美性に優れた装飾歯を提供することができる。
【図面の簡単な説明】
【００１２】
【図１】本発明にかかる装飾歯を作製する際に用いる被装飾歯の歯型の模型の例を示す正面図である。
【図２】上記模型の底面図である。
【図３】上記装飾歯の作製方法の例を示す図であって、上記模型の被装飾歯に対応する部分の表面に飾歯用の材料が築盛された状態を示す図である。
【図４】上記装飾歯の作製方法の例を示す図であって、上記模型の被装飾歯に対応する部分の頂部が上記装飾歯の突起部に覆われた状態を示す図である。
【図５】上記装飾歯の作製方法の例を示す図であって、上記模型の被装飾歯に対応する部分の頂部が上記装飾歯の突起部に覆われた状態を示す別の図である。
【図６】上記装飾歯の作製方法の例を示す図であって、上記模型の歯肉に対応する部分の表面に飾歯肉用の材料が築盛された状態を示す図である。
【図７】上記装飾歯の作製方法の例を示す図であって、上記模型から上記装飾歯の半完成品が取り外されている状態を示す図である。
【図８】上記装飾歯の斜視図である。
【図９】上記装飾歯に設けられた突起部と係合部の例を示す図である。
【図１０】上記突起部が覆う頂部と上記係合部が係合される歯頸部を示す上記被装飾歯の唇舌方向の断面図である。
【図１１】上記装飾歯の装着前の装着者の歯並びを示す図である。
【図１２】上記装飾歯の装着後の装着者の歯並びを示す図である。
【発明を実施するための形態】
【００１３】
以下、図面を参照しながら本発明にかかる装飾歯の実施の形態について説明する。
【００１４】
先ず、本発明にかかる装飾歯の作製方法について説明する。装飾歯は、装飾を希望する希望者自身の天然歯または人口歯のうち、装飾対象となる被装飾歯の歯型の模型を用いて作製される。以下の説明においては、希望者の上の歯全体の歯型の模型を用いて、上の複数の歯のうち一部の歯を装飾する装飾歯を作製する場合を例に説明をする。
【００１５】
図１１は、装飾歯を装着前の希望者の歯並びの例を示す模式図である。符号Ｌ１は希望者の上唇、Ｌ２は希望者の下唇、を示す。希望者は、上の歯のうち、連接する、側切歯２、中切歯３、中切歯４、側切歯５、犬歯６の５本の歯の表面を装飾することを希望している。すなわち、装飾歯は、歯２〜６である。具体的に、希望者は、犬歯（八重歯）１や中切歯３と比べて奥に引っ込んでいる側切歯２の表面を、犬歯１や中切歯３の表面と同じ位置にすること、つまり、八重歯が目立たないようにすることを希望している。また、希望者は、中切歯３から犬歯６の歯並びを良くする、つまり、歯と歯の隙間を目立たなくし、各歯の表面（外面）が略曲面状になる（各歯の表面の位置が揃う）ことを希望している。
【００１６】
図１は、希望者の歯型の模型の例を示す正面図であり、図２は、模型の底面図である。模型Ｍは、公知の方法で作製されるものであって、例えば、作製者が、歯科などで用いられている印象材などを用いて希望者の歯型を採り、この歯型に石膏を流し込んで固めて作製する。模型Ｍは、希望者の天然歯１〜６などの模型である模型歯１１〜１６を含む模型歯群１０と、希望者の歯肉の模型である模型歯肉１０ｘと、を備える。
【００１７】
次いで、作製者は、模型Ｍの表面と裏面とに、例えば、液体のワックスを塗布する。後述する模型Ｍに築盛された樹脂材を剥がれやすくするためである。なお、築盛される樹脂材が位置ずれしないように、作製者は、模型歯同士の間や、模型歯と模型飾歯肉１０ｘの間、模型歯の表面、模型歯肉１０ｘの表面などの余分なワックスは取り除いておく。
【００１８】
次に、装飾部の飾歯を作製するために、作製者は、被装飾歯に対応する模型歯の表面に、被装飾歯の表面を装飾する飾歯の土台を構成する象牙色の第１材料を所望の形に築盛する。このとき、模型歯の表面に築盛される第１材料は、隣接する模型歯、すなわち、例えば、模型歯１２と模型歯１３それぞれの表面に築盛される第１材料同士が接触しないように、築盛される。
【００１９】
ここで、本物の歯に見えるように、作製者は、築盛された第１材料の先端（歯肉と反対側）の部分に、ナイフなどを用いてマメロン（ギザギザ）部分を形成するとよい。
【００２０】
なお、第１材料をはじめ、装飾歯を構成する後述の材料（第２〜第４材料）の種類の例としては、セラミック、メタル、樹脂など、歯科用の材料がある。各材料の種類は、すべて同じであってもよいし、あるいは、異なっていてもよい。
【００２１】
図３は、模型Ｍの模型歯の表面に第１材料が築盛された状態を示す模式図である。同図は、５本の被装飾歯（側切歯２、中切歯３、中切歯４、側切歯５、犬歯６）に相当する模型歯１２〜１６の表面に第１材料が築盛されて、飾歯群を構成する飾歯２２〜２６が形成されていることを示している。ここで、模型歯１２〜１６のそれぞれの表面に築盛される第１材料の厚さは、完成したときの各飾歯の表面の位置が揃うように異なっていて、特に、奥に引っ込んでいる側切歯２の表面には他の被装飾歯に比べて第１材料が厚く築盛されている。
【００２２】
ここで、飾歯の先端に設けられる突起部について説明する。
【００２３】
図４，５は、突起部の例を示す模式図である。同図は、被装飾歯である、側切歯１２、中切歯１３、中切歯１４、側切歯１５、犬歯１６の５本の歯の頂部（咬合面）を覆うように、飾歯を構成する第１材料が築盛されていることを示している。このように、飾歯のうち、被装飾歯の頂部を覆う部分が突起部である。
【００２４】
なお、装飾歯が希望者の被装飾歯の表面に装着されたとき、つまり、希望者の被装飾歯の根元の歯肉の表面に飾歯肉３０の裏面が接着されたとき、突起部と被装飾歯の頂部との間には隙間ができる（突起部と被装飾歯の頂部とは接触しない）。
【００２５】
次いで、第１材料を光重合して硬化させて成形するために、作製者は、第１材料が築盛された状態の模型Ｍを光重合器に入れて、約９０秒、第１材料を光重合する。
【００２６】
次いで、作製者は、光重合器から模型Ｍを取り出し、第１材料の上に、エナメル色（インザイル色）の第２材料を重ねて築盛する。このとき、隣接する飾歯同士の間、すなわち、例えば、飾歯１２と飾歯１３との間には、強度を保つために第２材料を厚く築盛する。その後、作製者は、第２材料が築盛された模型Ｍを光重合器に入れて、約９０秒、第２材料を光重合する。
【００２７】
次いで、作製者は、光重合器から模型Ｍを取り出し、第２材料の上に、透明色（トランスルーセント色）の第３材料を重ねて築盛する。このとき、作製者は、第３材料を、完成時の所望の飾歯の形に築盛する。また、作製者は、第３材料の先端のライン上に、ナイフなどで溝を形成しておく。その後、作製者は、第３材料が築盛された模型Ｍを光重合器に入れて、約３０秒、第３材料を光重合する。
【００２８】
次いで、作製者は、光重合器から模型Ｍを取り出し、所望の形と比較して第３材料の築盛が必要な場合には、第３材料を築盛した後に、再度、模型Ｍを光重合器に入れて、約３０秒、第３材料を光重合する。
【００２９】
次に、装飾歯の飾歯肉を作製するために、作製者は、模型歯肉１０ｘの表面の一部にガム色（歯肉色）の第４材料を築盛する。
【００３０】
図６は、第４材料が築盛された模型Ｍの正面図である。作製者は、第４材料を、模型歯肉１０ｘの表面のうち、被装飾歯の根元の歯肉に対応する部分とその周辺部分に築盛する。また、作製者は、第４材料を、成形された第３材料の一部（歯頸部に対応する部分の周辺）に重ねて築盛する。
【００３１】
ここで、作製者は、第４材料を、完成後の装飾歯が装着されたときに、唇の動きを装飾歯が邪魔しないように、口唇小帯を避けるように築盛する。また、犬歯１は被装飾歯ではないが、いわゆるスマイルライン上に飾歯肉（第４材料）の切れ目が目立たないようにするために、作製者は、第４材料を、模型歯肉１０ｘの表面のうち犬歯１の根元の歯肉に相当する位置にも築盛する。
【００３２】
なお、被装飾歯に対する材料（第１材料から第４材料）の築盛位置に応じて、飾歯の高さ方向の長さと被装飾歯の高さ方向の長さの関係を調整することができる。ここで、飾歯や被装飾歯の高さ方向とは、図６の紙面上下方向をいう。すなわち、例えば、模型Ｍ上において、作製者が、被装飾歯の一部（被装飾歯の根元側の部分）の表面に第４材料を築盛した場合、飾歯の高さ方向の長さは被装飾歯の高さ方向の長さよりも短く作製できる。一方、模型Ｍ上において、作製者が、第１材料から第３材料を、被装飾歯の根元部分の歯肉の表面に築盛した場合、飾歯の高さ方向の長さは被装飾歯の高さ方向の長さよりも長く作製できる。このように、飾歯の高さ方向の長さを調整することで、装飾歯が装着された状態での希望者の歯並び（高さ方向の長さのバランス）が良好になる。また、例えば、複数の被装飾歯の先端の位置がずれている場合、複数の飾歯それぞれの先端が略直線状あるいは緩やかな曲線状になるように装飾歯を作製することで、装飾歯が装着された状態での希望者の歯並び（高さ方向の長さのバランス）が良好になる。
【００３３】
さらに、本発明にかかる装飾歯においては、飾歯の幅方向の長さと被装飾歯の幅方向の長さの関係を調整することができる。ここで、飾歯や被装飾歯の幅方向とは、飾歯や被装飾歯の高さ方向と直交する方向であって、図６の紙面左右方向をいう。すなわち、作製者は、飾歯の幅方向の長さを被装飾歯の幅方向の長さよりも長く作製することも、短く作製することもできる。なお、飾歯の幅方向の長さを被装飾歯の幅方向の長さと異ならせるのは、例えば、装飾歯が複数の被装飾歯の表面を装飾する場合であって、被装飾歯同士の幅方向の長さのバランスが良好になるように装飾する場合などがある。
【００３４】
次いで、作製者は、模型Ｍを光重合器に入れて、約３０秒、第４材料を光重合する。
【００３５】
次いで、作製者は、模型Ｍを光重合器から取り出し、熱湯の入っている容器（例えば、ラバーボール）に、約３０秒、模型Ｍを入れる。
【００３６】
次いで、作製者は、模型Ｍを容器から取り出して、模型Ｍに築盛されて光重合されて成形された材料（つまり、装飾歯の半完成品）を模型Ｍから取り外す。
【００３７】
図７は、作製者が、例えば、ナイフＮなどの治具を用いて、模型Ｍから装飾歯の半完成品を取り外そうとしている状態を示す模式図である。
【００３８】
次いで、作製者は、装飾歯の半完成品を光重合器に入れて、約３分、半完成品（特に、模型Ｍと接触していた面）を光重合する。その後、作製者は、半完成品を光重合器から取り出して、半完成品の表面や裏面などを指などで触り、不要なバリなどの有無を確認する。作製者は、発見したバリなどを研磨する。
【００３９】
次いで、作製者は、サンドブラスターを用いて、半完成品を研磨する。研磨剤の例としては、アルミナなどがある。その後、作製者は、スチーマーを用いて、半完成品を洗浄した上で、プライマーを塗布する。
【００４０】
次いで、作製者は、装飾歯の立体感を出すために、半完成品の表面、特に、飾歯と飾歯の間や、飾歯と飾歯肉の間などのラインを、筆などで着色する。その後、作製者は、半完成品を光重合器に入れて、約３０秒、光重合する。
【００４１】
次いで、作製者は、半完成品を光重合器から取り出して、半完成品の表面のみにコーティング剤を塗布する。その後、作製者は、半完成品を光重合器に入れて、約３分、光重合する。その後、作製者は、半完成品を光重合器から取り出して加熱重合器に入れ、約１０分、加熱重合する。なお、コーティング剤の材料によっては、加熱重合は不要である。
【００４２】
次いで、作製者は、半完成品を光重合器から取り出して、艶が出ていない箇所を研磨して、装飾歯の作製は完了する。
【００４３】
図８は、完成した装飾歯の斜視図である。装飾歯Ｄは、飾歯群２０と、飾歯肉３０、とを有してなる。飾歯群２０は、前述のとおり、第１材料と第２材料と第３材料で構成されている。一方、飾歯肉３０は、第４材料で構成されている。
【００４４】
飾歯群２０は、希望者の側切歯２、中切歯３、中切歯４、側切歯５、犬歯６の各被装飾歯に対応する飾歯２２〜２６で構成されている。
【００４５】
また、飾歯肉３０は、希望者の側切歯２、中切歯３、中切歯４、側切歯５、犬歯６の各被装飾歯の根元の歯肉と、希望者の犬歯１の根元の歯肉と、を覆う形状に成形されている。
【００４６】
各飾歯は、根元側が飾歯肉３０と連結している。
【００４７】
図９は、装飾歯Ｄの各飾歯の先端側に設けられた突起部と、各飾歯の裏面と飾歯肉の裏面との連結部に設けられた係合部とを示す模式図である。突起部と係合部は、飾歯ごとに設けられている。すなわち、例えば、突起部２２ａは飾歯２２の先端に設けられていて、係合部２２ｂは飾歯２２と飾歯肉３０との連結部に設けられている。
【００４８】
突起部は、装飾歯Ｄが希望者の被装飾歯の表面に装着されたとき、つまり、希望者の被装飾歯の根元の歯肉の表面に飾歯肉３０の裏面が接着されたとき、被装飾歯の頂部を覆う。
【００４９】
ここで、装飾歯Ｄを被装飾歯の根元の歯肉の表面に接着する際に用いられる接着剤の例としては、例えば、義歯などの装着に用いられる安定剤がある。
【００５０】
係合部は、装飾歯Ｄが希望者の被装飾歯の表面に装着されたとき、つまり、希望者の被装飾歯の根元の歯肉の表面に飾歯肉３０の裏面が接着されたとき、希望者の被装飾歯の歯頸部に係合する。
【００５１】
図１０は、突起部が覆う被装飾歯の頂部と、係合部が係合される被装飾歯の歯頸部の例を示す被装飾歯の唇舌方向の断面図である。符号Ｔａは被装飾歯のエナメル質、Ｔｂは歯肉、Ｔｃは歯槽骨、Ｘはエナメル質の頂部、Ｙは歯頸部、を示している。装飾歯Ｄが希望者の被装飾歯の表面に装着されたとき、つまり、希望者の被装飾歯の根元の歯肉の表面に飾歯肉３０の裏面が接着されたとき、各突起部は頂部Ｘを覆い、各係合部は歯頸部Ｙに係合する。
【００５２】
図１２は、装飾歯Ｄが５本の被装飾歯に装着された状態での希望者の歯並びの例を示す模式図である。同図は、側切歯２の飾歯２２の表面が犬歯１や中切歯３の飾歯２３の表面と同じ面上にある、つまり、側切歯２の引っ込みが目立たなくなっていることを示している。また、同図は、犬歯１から犬歯６の飾歯２６まで、隣接する歯や飾歯同士の隙間が目立たなくなっていて、各歯や飾歯の表面が略湾曲面状になっていることを示している。
【００５３】
以上説明した実施の形態によれば、装飾歯Ｄは、被装飾歯の歯型の模型Ｍに樹脂などの材料を築盛して作製するため、例えば特許文献１のようにキャビティに樹脂材を注入して作製する場合に比べて、装飾歯Ｄの薄型化が可能である。
【００５４】
また、装飾歯Ｄは、被装飾歯が１本でも作製でき、被装飾歯の根元の歯肉に接着するため、装飾歯Ｄの大きさは１本分の大きさでの作製も可能であり、小型化が可能である。
【００５５】
さらに、装飾歯Ｄは、被装飾歯の表面ではなく、被装飾歯の根元の歯肉の表面に接着されるため、被装飾歯に接着する場合に比べて接着面積を大きくすることができ、装着された装飾歯は取れにくくなる。
【００５６】
さらにまた、被装飾歯に装着された装飾歯Ｄは、飾歯の先端側に設けられた突起部が被装飾歯の頂部を覆うため、飾歯の裏面側に位置する被装飾歯は口の外から視認されず（つまり、装飾歯Ｄの装着が視認されず）、装飾歯Ｄの装着時の審美性を向上させることができる。
【００５７】
さらにまた、装飾歯Ｄが装着されたとき、飾歯の裏面と飾歯肉の裏面との連結部に設けられた係合部が被装飾歯の歯頸部に係合するため、例えば、唇に押されて装飾歯に飾歯の先端側方向の力が加わっても、装飾歯の落下を防止することができる。
【００５８】
なお、以上説明した実施の形態では、被装飾歯の数と飾歯の数とは同数であったが、本発明にかかる装飾歯はこれに限らない。すなわち、例えば、被装飾歯の幅が狭い場合に、口元のバランスを良く見せたいときに、飾歯の数は１で被装飾歯の数は複数とし、１の飾歯が複数の隣接する被装飾歯の表面を装飾するように構成してもよい。あるいは、逆に、例えば、被装飾歯の幅が広い場合に、飾歯の数は複数で被装飾歯の数は１とし、複数の隣接する飾歯が１の被装飾歯の表面を装飾するように構成してもよい。さらに、例えば、隣接する３本の被装飾歯の表面を、隣接する２本の飾歯で装飾する（隣接する３本の装飾歯の幅方向の長さと、隣接する２本の飾歯の幅方向の長さとが略一致する）ように装飾歯を構成してもよい。あるいは、例えば、隣接する２本の被装飾歯の表面を、隣接する３本の飾歯で装飾する（隣接する２本の装飾歯の幅方向の長さと、隣接する３本の飾歯の幅方向の長さとが略一致する）ように装飾歯を構成してもよい。
【００５９】
また、本発明にかかる装飾歯において、飾歯の表面に、宝石などの装飾物を配置するようにしてもよい。この場合、例えば、飾歯の表面に装飾物を配置し、口腔内で装飾物が落下しないように装飾物の上から飾歯の表面を被膜材で被膜する、あるいは、装飾物で口腔内が傷つかないように装飾物を研磨しておくとよい。
【００６０】
さらに、本発明にかかる装飾歯において、装飾歯Ｄが希望者の被装飾歯の表面に装着されたとき、飾歯の裏面の全部または一部が被装飾歯の表面に接触しない、つまり、飾歯の裏面と被装飾歯の表面との間に隙間ができるように構成してもよい。このように構成された装飾歯であれば、例えば、被装飾歯に矯正用のワイヤが取り付けられた状態でも、飾歯がワイヤの上から被装飾歯を覆うことができる。この装飾歯の作製方法としては、例えば、前述した第１材料を築盛する前に模型Ｍに塗布するワックスとして、例えば、蝋でできた板状のワックスを用いるとよい。この板状のワックスを湯などで温めて柔らかくして、所望の隙間に相当する厚さとなるよう模型歯に築盛し、その上から前述のとおり第１材料をはじめとする各材料を築盛していく。板状のワックスは、先に説明した実施の形態同様、模型Ｍから取り外された装飾歯の半完成品を熱湯の入っている容器などに入れたときに溶ける。その結果、装着したときに、溶ける前の板状のワックスの厚さの分だけ、飾歯の裏面と被装飾歯の表面との間に隙間ができる装飾歯を得ることができる。
【００６１】
以下、本発明にかかる装飾歯の特徴を、まとめて記載しておく。
【００６２】
（特徴１）
被装飾歯の表面を装飾する飾歯と、
被装飾歯の根元の歯肉の表面に接着される飾歯肉と、
を備え、
飾歯の根元側が飾歯肉と連結していて、
飾歯の先端側には、歯肉の表面に飾歯肉の裏面が接着されたときに、被装飾歯の頂部を覆う突起部が設けられている、
ことを特徴とする装飾歯。
【００６３】
（特徴２）
歯肉の表面に飾歯肉の裏面が接着されたときに、飾歯の裏面の一部は被装飾歯の表面に接触しない、
特徴１記載の装飾歯。
【００６４】
（特徴３）
飾歯の裏面と飾歯肉の裏面との連結部には、歯肉の表面に飾歯肉の裏面が接着されたときに、被装飾歯の歯頸部に係合する係合部が設けられている、
特徴１または２記載の装飾歯。
【００６５】
（特徴４）
飾歯の高さ方向の長さは、被装飾歯の高さ方向の長さよりも長い、
特徴１乃至３のいずれかに記載の装飾歯。
【００６６】
（特徴５）
飾歯の高さ方向の長さは、被装飾歯の高さ方向の長さよりも短い、
特徴１乃至３のいずれかに記載の装飾歯。
【００６７】
（特徴６）
飾歯の幅方向の長さは、被装飾歯の幅方向の長さよりも長い、
特徴１乃至５のいずれかに記載の装飾歯。
【００６８】
（特徴７）
飾歯の幅方向の長さは、被装飾歯の幅方向の長さよりも短い、
特徴１乃至５のいずれかに記載の装飾歯。
【００６９】
（特徴８）
飾歯肉は、被装飾歯の根元の歯肉と、被装飾歯に隣接する別の歯の根元の歯肉とを覆う、
特徴１乃至７のいずれかに記載の装飾歯。
【００７０】
（特徴９）
歯肉の表面に飾歯肉の裏面が接着されたときに、飾歯肉の一部が被装飾歯の表面の一部を覆う、
特徴１乃至８のいずれかに記載の装飾歯。
【００７１】
（特徴１０）
飾歯の数は１で、被装飾歯の数は複数で、
複数の被装飾歯の表面は、飾歯で装飾される、
特徴１乃至９のいずれかに記載の装飾歯。
【００７２】
（特徴１１）
飾歯の数は複数で、被装飾歯の数は１で、
被装飾歯の表面は、複数の飾歯で装飾される、
特徴１乃至９のいずれかに記載の装飾歯。
【００７３】
（特徴１２）
被装飾歯の数は複数で、
複数の被装飾歯のそれぞれに対応する複数の飾歯を備え、
飾歯肉は、複数の被装飾歯の一部または全部の被装飾歯の根元の歯肉の表面を覆う、
特徴１記載の装飾歯。
【００７４】
（特徴１３）
飾歯肉は、複数の被装飾歯の一部の被装飾歯の根元の歯肉のみの表面を覆い、
複数の被装飾歯のそれぞれに対応する複数の飾歯のそれぞれは、他の飾歯のいずれかと連結している、
特徴１２記載の装飾歯。
【００７５】
（特徴１４）
複数の被装飾歯のそれぞれに対応する複数の飾歯のそれぞれの高さは異なり、
複数の飾歯のそれぞれの先端は、略直線状である、
特徴１２または１３記載の装飾歯。
【００７６】
（特徴１５）
複数の被装飾歯のそれぞれに対応する複数の飾歯のそれぞれの厚さは異なり、
複数の飾歯のそれぞれの外面は、略曲面状である、
特徴１２乃至１４のいずれかに記載の装飾歯。
【００７７】
（特徴１６）
飾歯は、被装飾歯の模型の表面に築盛された飾歯用材料を硬化して作製され、
飾歯肉は、歯肉の模型の表面に築盛された歯肉用材料を硬化して作製され、
歯肉用材料の色と飾歯用材料の色とは異なる、
特徴１記載の装飾歯。
【００７８】
（特徴１７）
飾歯の表面には装飾物が配置され、
装飾物が配置された飾歯の表面は、被膜材で被膜されている、
特徴１記載の装飾歯。
【符号の説明】
【００７９】
１              天然歯・人口歯
２〜６          装飾歯（天然歯・人口歯）
１０            模型歯群
１１〜１６      模型歯
１０ｘ          模型歯肉
２０            飾歯群
２２〜２６      飾歯
２２ａ〜２６ａ  突起部
２２ｂ〜２６ｂ  係合部
３０            飾歯肉
Ｄ              装飾歯
Ｌ１            上唇
Ｌ２            下唇
Ｍ              被装飾歯の模型
Ｘ              被装飾歯の頂部
Ｙ              被装飾歯の歯頸部
【図１】
2014023827.tif 000003
【図２】
2014023827.tif 000004
【図３】
2014023827.tif 000005
【図４】
2014023827.tif 000006
【図５】
2014023827.tif 000007
【図６】
2014023827.tif 000008
【図７】
2014023827.tif 000009
【図８】
2014023827.tif 000010
【図９】
2014023827.tif 000011
【図１０】
2014023827.tif 000012
【図１１】
2014023827.tif 000013
【図１２】
2014023827.tif 000014
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
被装飾歯の表面を装飾する飾歯と、
上記被装飾歯の根元の歯肉の表面に接着される飾歯肉と、
を備え、
上記飾歯の根元側が上記飾歯肉と連結していて、
上記飾歯の先端側には、上記歯肉の表面に上記飾歯肉の裏面が接着されたときに、上記被装飾歯の頂部を覆う突起部が設けられていて、
上記歯肉の表面に上記飾歯肉の裏面が接着されたときに、上記飾歯の裏面の一部は上記被装飾歯の表面に接触しない、
ことを特徴とする装飾歯。
【請求項２】
上記飾歯の裏面と上記飾歯肉の裏面との連結部には、上記歯肉の表面に上記飾歯肉の裏面が接着されたときに、上記被装飾歯の歯頸部に係合する係合部が設けられている、
請求項１記載の装飾歯。
【請求項３】
上記飾歯の高さ方向の長さは、上記被装飾歯の高さ方向の長さよりも長い、
請求項１または２記載の装飾歯。
【請求項４】
上記飾歯の高さ方向の長さは、上記被装飾歯の高さ方向の長さよりも短い、
請求項１または２記載の装飾歯。
【請求項５】
上記飾歯の幅方向の長さは、上記被装飾歯の幅方向の長さよりも長い、
請求項１乃至４のいずれかに記載の装飾歯。
【請求項６】
上記飾歯の幅方向の長さは、上記被装飾歯の幅方向の長さよりも短い、
請求項１乃至４のいずれかに記載の装飾歯。
【請求項７】
上記飾歯肉は、上記被装飾歯の根元の歯肉と、上記被装飾歯に隣接する別の歯の根元の歯肉とを覆う、
請求項１乃至６のいずれかに記載の装飾歯。
【請求項８】
上記歯肉の表面に上記飾歯肉の裏面が接着されたときに、上記飾歯肉の一部が上記被装飾歯の表面の一部を覆う、
請求項１乃至７のいずれかに記載の装飾歯。
【請求項９】
上記飾歯の数は１で、上記被装飾歯の数は複数で、
上記複数の被装飾歯の表面は、上記飾歯で装飾される、
請求項１乃至８のいずれかに記載の装飾歯。
【請求項１０】
上記飾歯の数は複数で、上記被装飾歯の数は１で、
上記被装飾歯の表面は、上記複数の飾歯で装飾される、
請求項１乃至８のいずれかに記載の装飾歯。
【請求項１１】
上記被装飾歯の数は複数で、
上記複数の被装飾歯のそれぞれに対応する複数の飾歯を備え、
上記飾歯肉は、上記複数の被装飾歯の一部または全部の被装飾歯の根元の歯肉の表面を覆う、
請求項１記載の装飾歯。
【請求項１２】
上記飾歯肉は、上記複数の被装飾歯の一部の被装飾歯の根元の歯肉のみの表面を覆い、
上記複数の被装飾歯のそれぞれに対応する複数の飾歯のそれぞれは、他の飾歯のいずれかと連結している、
請求項１１記載の装飾歯。
【請求項１３】
上記複数の被装飾歯のそれぞれに対応する複数の飾歯のそれぞれの高さは異なり、
上記複数の飾歯のそれぞれの先端は、略直線状である、
請求項１１または１２記載の装飾歯。
【請求項１４】
上記複数の被装飾歯のそれぞれに対応する複数の飾歯のそれぞれの厚さは異なり、
上記複数の飾歯のそれぞれの外面は、略曲面状である、
請求項１１乃至１３のいずれかに記載の装飾歯。
【請求項１５】
上記飾歯は、上記被装飾歯の模型の表面に築盛された飾歯用材料を硬化して作製され、
上記飾歯肉は、上記歯肉の模型の表面に築盛された歯肉用材料を硬化して作製され、
上記歯肉用材料の色と上記飾歯用材料の色とは異なる、
請求項１記載の装飾歯。
【請求項１６】
上記飾歯の表面には装飾物が配置され、
上記装飾物が配置された飾歯の表面は、被膜材で被膜されている、
請求項１記載の装飾歯。